(57)【要約】【課題】電子機器及び信号処理方法を提供する。【解決手段】実施形態の電子機器は、第１の受信部、第２の受信部、第１の処理部、第２の処理部、第３の受信部及び再生制御部、を具備する。第１の受信部は、第１の解像度かつ第１の符号化方式で圧縮符号化された第１の映像を再生するための第１の映像情報を放送伝送路より受けとる。第２の受信部は、第２の解像度かつ第２の符号化方式でエンコードされた第２の映像を再生するため第２の映像情報を放送伝送路またはネットワーク伝送路により受けとる。第１の処理部は、第１の映像情報に対応する第１の映像を再生する。第２の処理部は、第２の映像情報と第１の映像情報とにより第２の映像を再生する。第３の受信部は、遠隔操作機器に配置された所定の指示ボタンからの指示情報を受けつける。再生制御部は、第３の受信部により受信した指示情報に基づいて第２の映像を出力する。【選択図】図２
2016116076.tif 000002
【特許請求の範囲】
【請求項１】
第１の解像度かつ第１の符号化方式で圧縮符号化された第１の映像を再生するための第１の映像情報を放送伝送路より受けとる第１の受信部と、
前記第１の解像度より高い第２の解像度かつ第２の符号化方式でエンコードされた第２の映像を再生するため、第２の映像情報を放送伝送路またはネットワーク伝送路により受けとる第２の受信部と、
前記第１の映像情報に対応する前記第１の映像を再生する第１の映像処理部と、
前記第２の映像情報と前記第１の映像情報とにより前記第２の映像を再生する第２の映像処理部と、
遠隔操作機器に配置された所定の指示ボタンからの指示情報を受けつける第３の受信部と、
前記第３の受信部により受信した前記指示情報に基づいて、前記第２の映像情報を前記第２の受信部が受けとった放送を再生する再生制御部と、
を具備する電子機器。
【請求項２】
前記再生制御部は、前記第３の受信部により受信した前記指示情報を受け付ける毎に、前記第２の映像情報に対応する前記第２の映像を順に再生する請求項１の電子機器。
【請求項３】
前記再生制御部は、前記第３の受信部により受信した前記指示情報を受け付ける毎に、前記第２の映像情報に対応する前記第２の映像と前記第１の映像情報に対応する前記第１の映像とを順に再生する請求項１の電子機器。
【請求項４】
前記再生制御部は、前記第３の受信部により受信した前記指示情報に基づいて前記第２の映像を再生する際に、前記第２の映像情報の受けとりがない場合、前記第２の映像情報が供給されていることを検出する請求項１の電子機器。
【請求項５】
前記再生制御部は、前記第２の映像情報が供給されていることを検出した場合、前記第２の映像情報を取得することを、アラート表示する請求項４の電子機器。
【請求項６】
前記再生制御部は、前記遠隔操作機器に、前記第２の映像情報が供給されていることを報知する請求項１の電子機器。
【請求項７】
放送伝送路より受けとる第１の解像度かつ第１の符号化方式で圧縮符号化された第１の映像を再生するための第１の映像情報と、放送伝送路またはネットワーク伝送路により受けとる前記第１の解像度より高い第２の解像度かつ第２の映像を再生するため、第２の符号化方式でエンコードされた第２の映像情報とに基づいて、前記第２の映像または前記第１の映像を再生する電子機器に、前記第２の映像情報と前記第１の映像情報とによる前記第２の映像の再生を指示する指示情報を送信する所定のボタンを備える電子機器。
【請求項８】
前記指示情報を送信する前記所定のボタンは、前記電子機器における動作を可能とするプログラム／アプリケーションを含む請求項７の電子機器。
【請求項９】
第１の解像度かつ第１の符号化方式で圧縮符号化された第１の映像を再生するための第１の映像情報を放送伝送路より受けつけ、
第１の解像度より高い第２の解像度かつ第２の映像を再生するため、第２の符号化方式でエンコードされた第２の映像情報を放送伝送路またはネットワーク伝送路により受けつけ、
遠隔操作機器に配置された所定の指示ボタンからの指示情報を受けつけ、
所定の指示ボタンからの指示情報に基づいて第２の映像情報と第１の映像情報とにより第２の映像を再生する信号処理方法。
【請求項１０】
所定の指示ボタンからの指示情報を受けつける毎に、第２の映像情報に対応する第２の映像を順に再生する請求項９の信号処理方法。
【請求項１１】
所定の指示ボタンからの指示情報を受け付ける毎に、第２の映像情報に対応する第２の映像と第１の映像情報に対応する第１の映像とを順に再生する請求項９の信号処理方法。
【発明の詳細な説明】
【技術分野】
【０００１】
本発明は、高精細度テレビジョン放送を受信する電子機器及び信号処理方法に関する。
【背景技術】
【０００２】
現在、デジタルテレビジョン（ＨＤ（High Definition、高精細度）ＴＶ）放送においては、水平方向画素数が１９２０または１４４０、垂直方向画素数が１０８０、映像周波数（フレームレート）が６０Ｈｚの映像信号が利用されている。
【０００３】
また、ＨＤＴＶに比較して画素数が４倍（３８４０×２１６０）、フレームレート６０Ｈｚの４Ｋ（ＵＨＤ（Ultra High Definition）、超高精細度）放送や、１６倍（７６８０×４３２０）、フレームレート１２０Ｈｚの８Ｋ（８ＫＵＨＤ）放送についても、標準化が進められている。
【先行技術文献】
【特許文献】
【０００４】
【特許文献１】特開２００６−７５１８２号公報
【発明の概要】
【発明が解決しようとする課題】
【０００５】
しかしながら、現在広く普及している受信機（テレビジョン受信装置）によりＨＤＴＶ放送の受信が可能であることが求めている。このため、４Ｋまたは８Ｋ放送においては、映像信号を、実質的にＨＤＴＶ放送に相当する映像信号からなる基本映像情報と４Ｋ（８Ｋ）放送に対応する映像信号を含む拡張映像情報とに分離し、それぞれを、別の伝送路で伝送する方法が提案されている。
【０００６】
反面、この方法は、受信機が４Ｋ放送を受信する場合のチャンネル切り替え時に、基本映像情報の受信チャンネル及び拡張映像情報の受信チャンネルの両者を切り替えることを必要とする。このため、チャンネル切り替え時に映像が表示されるまでの間の時間が長くなることが予想される。
【０００７】
また、基本映像情報のみを受信するチャンネルと、拡張映像情報と基本映像情報とを受信するチャンネルと、が混在する場合、切り替え時のチャンネルの選択指示（操作入力）が煩雑になる虞がある。
【０００８】
この発明の目的は、基本映像情報のみ、または基本映像情報と拡張映像情報とを用いるテレビジョン放送を受信する電子機器及び信号処理方法を提供することである。
【課題を解決するための手段】
【０００９】
実施形態の電子機器は、第１の受信部と、第２の受信部と、第１の映像処理部と、第２の映像処理部と、第３の受信部と、再生制御部と、を具備する。第１の解像度かつ第１の符号化方式で圧縮符号化された第１の映像を再生するための第１の映像情報を放送伝送路より受けとる。第２の受信部は、前記第１の解像度より高い第２の解像度かつ第２の符号化方式でエンコードされた第２の映像を再生するため、第２の映像情報を放送伝送路またはネットワーク伝送路により受けとる。第１の映像処理部は、前記第１の映像情報に対応する前記第１の映像を再生する。第２の映像処理部は、前記第２の映像情報と前記第１の映像情報とにより前記第２の映像を再生する。第３の受信部は、遠隔操作機器に配置された所定の指示ボタンからの指示情報を受けつける。再生制御部は、前記第３の受信部により受信した前記指示情報に基づいて、前記第２の映像情報を前記第２の受信部が受けとった放送を再生する。
【図面の簡単な説明】
【００１０】
【図１】実施形態に係る映像信号送受信システムの一例を示す。
【図２】実施形態に係る受信装置（電子機器）の一例を示す。
【図３】実施形態に係る受信装置に制御指示を指示する装置の一例を示す。
【図４】実施形態に係る受信装置におけるチャンネル選局の時の動作の一例を示す。
【図５】実施形態に係る受信装置に制御指示を指示する装置の一例を示す。
【図６】実施形態に係る受信装置に制御指示を指示する装置の一例を示す。
【図７】実施形態に係る受信装置におけるチャンネル選局の時の動作の一例を示す。
【図８】実施形態に係る受信装置の基本映像情報及び拡張映像情報の処理ブロックの一例を示す。
【発明を実施するための形態】
【００１１】
以下、図面を参照して、本発明の実施の一形態について説明する。
【００１２】
図１は、実施形態に係る映像信号送受信システムの一例を示す。
【００１３】
図１が示す画像処理システムにおいて、電子機器（例えばテレビジョン放送受信装置、以下、テレビ装置と称する）１は、アンテナ１０１を通じて、番組供給元である放送局が送信する放送波（地上波及び衛星波）を受信する。なお、テレビ装置１が受信する放送波は、現在広く普及しているＨＤＴＶ（水平方向画素数が１９２０または１４４０、垂直方向画素数が１０８０、映像周波数（フレームレート）が６０Ｈｚの映像信号）放送の受信が可能である。また、テレビ装置１が受信する放送波は、ＨＤＴＶに比較して画素数が４倍（３８４０×２１６０）、フレームレート６０Ｈｚの４Ｋ放送（ＵＨＤ（Ultra High Definition）、超高精細度放送）であってもよい。テレビ装置１が受信する放送波はまた、ＨＤＴＶに比較して画素数が１６倍（７６８０×４３２０）、フレームレート１２０Ｈｚの８Ｋ放送（８ＫＵＨＤ放送）であってもよい。
【００１４】
なお、４Ｋ放送あるいは８Ｋ放送においては、映像信号（放送波）を、第一の映像情報（基本映像情報）と第二の映像情報（拡張映像情報）とに分離し、２チャンネル分の帯域幅の占有により送信する方式が利用可能である。基本映像情報（第一の映像情報）は、実質的に、ＨＤＴＶ放送信号に相当し、そのままの状態でＨＤＴＶ放送波として利用可能であることが好ましい。拡張映像情報（第二の映像情報）は、基本映像情報と独立して用意され、基本映像情報とともに利用することにより４Ｋ（８Ｋ）映像を再現するために利用可能である。この場合、基本映像情報が１チャンネル分の帯域幅を、拡張映像情報が、別の１チャンネル分の帯域幅を、それぞれ、占有する。しかしながら、この方式によれば、現在広く普及しているＨＤＴＶ放送を受信する受信機（テレビジョン受信装置）におけるＨＤＴＶ放送の受信には、なんら影響を及ぼすことがない。
【００１５】
テレビ装置１はまた、外部映像供給元、例えばビデオカメラ装置や画像の撮影が可能な携帯可能な端末装置２００１からの画像を取得可能である。その場合、画像の取得は、例えば近距離無線通信方式を用いるものであってもよいし接続用のケーブルを用いる有線伝送方式を用いるものであってもよい。また、テレビ装置１は、ネットワークＮＴＷと接続し、ネットワークＮＴＷ上に位置するサービスサーバ（以下、サーバと称する）ＳＶから映像信号や映像情報を受け取ることができる。拡張映像情報（第二の映像情報）は、サービスサーバＳＶからネットワークＮＷＴを介して受信することもできる。なお、テレビ装置１は、パーソナルコンピュータ（ＰＣ）、ホームサーバ、レコーダあるいはＳＴＶ（Set Top Box）、レコーダやＳＴＶと接続するモニタ装置、等であってもよい。また、以降の説明においては、テレビ装置１は、２Ｋ（２Ｋ１Ｋまたは１９２０×１０８０）、４Ｋ（４Ｋ２Ｋまたは３８４０×２１６０）もしくは８Ｋ（８Ｋ４Ｋまたは７６８０×４３２０）放送の少なくとも１つの放送を受信し、映像及び音声（音響）を再生できる。但し、以下では、説明の便宜上、２Ｋ／４Ｋ対応のテレビ装置として記載する。
【００１６】
なお、以下の説明において、テレビ装置１が受信し、映像及び音声を再生する放送は、空間を伝播する電波として放送事業者（放送局）が提供するもの、あるいはケーブル（光ファイバを含む）網やＩＰ（Internet Protocol）網等のネットワークを通じて配信事業者が配信するもの等、を含む。また、放送は、映像と音声または音楽もしくはその両者を含み、一定時間（放送時間）を単位とするさまざまな番組を、提供する形態を示す。なお、番組は、コンテンツもしくはストリームと呼称する場合もある。また、映像は、動画や静止画、あるいはテキスト（コード化された符号列で示される文字や記号等で表される情報）ならびにその任意の組み合わせを含む。また、２つの伝送路（例えば衛星波）を通じて取得する番組（放送）のうちの１つ目の伝送路（例えば衛星波）で受けつける番組を、メインチャンネル、メインサービス、メインチャンネルＴＳ（Transport Stream）、主映像信号、ＨＤ映像信号、ＨＤＴＶ放送信号、２Ｋ映像信号現行サービスもしくは現行放送信号、等と称する場合がある。また、２つの伝送路（例えば衛星波）を通じて取得する番組（放送）のうちの別の（２つ目の）伝送路で受けつける番組を、サブチャンネル、サブサービス、サブチャンネルＴＳ、高画質映像信号、４Ｋ映像信号、４Ｋ放送信号、拡張サービスもしくは拡張放送信号、等と称する場合がある。
【００１７】
図２は、テレビ装置の主要な構成の一例を示す。
【００１８】
テレビ装置１は、入力部（チューナ）１１、信号処理部（ＴＳ分離部）１２、映像出力処理ブロック２１、音声処理ブロック３１及び主制御ブロック５１、等を含む。
【００１９】
入力部１１には、空間波（地上波あるいは衛星波）を用いて提供される放送を受信するアンテナＡＮＴが接続する。入力部１１にはまた、外部映像供給元として、例えばＳＴＢ（Set Top Box）やビデオカメラ装置、等が接続する。なお、ビデオカメラ装置は、画像撮影が可能な携帯可能な端末装置、例えばタブレットＰＣ（Personal Computer）装置、等であってもよい。また、テレビ装置１におけるディスプレイ２６は、テレビ装置１と非接触で、映像記憶装置（レコーダ）や受信装置（ＳＴＢまたはチューナ）が、無線方式により伝送する番組を表示するものであってもよい。
【００２０】
入力部１１は、少なくとも２つのチャンネルの放送（番組）を受信可能に、例えばＨＤＴＶ放送（空間波（地表波）を用いる放送）を受信可能なチューナを、２以上６（または９）程度含む。また、入力部１１は、放送衛星（Broadcasting Satellite）により放送されるＢＳ放送、あるいは通信衛星（Communication Satellite）を介して中継されるＣＳ放送を受信可能なチューナを、３程度含むことが好ましい。
【００２１】
入力部１１に入力する放送は、信号処理部（ＴＳ分離部）１２が、ＴＳ（Transport Stream）分離する。すなわち、信号処理部（ＴＳ分離部）１２は、映像信号（ビデオ）、音声信号（オーディオ）及び制御情報を分離する。なお、制御情報は、ＳＩ（Service Informationすなわち番組配列情報／ＰＳＩ（Program Specific Information））、ＮＩＴ（Network Information Table）、ＥＩＴ（Event Information Table）、等を含む。ＳＩは、ＴＳ（ストリーム）の分配規則や内容、スケジュールあるいはタイミング、等に関する記述を含む。ＳＩにおける記述は、例えば画像や音声、制御情報、等が格納されるパケットを、“０ｘＹＺ（ＹＺは所定の整数）”と定義するパケット値で示すＰＩＤ（Packet Identifier）、“ＰＩＤ＝０”において参照するＰＡＴ（Program Association Table）や“ＰＩＤ＝Ｐ”において参照するＰＭＴ（Program Map Table）、等を含む。ＮＩＴは、ストリームの分配（配信）情報に関する記述を含む。ＥＩＴは、番組情報、例えば番組名称や放送日時もしくは放送内容、等の番組に関連する記述を含む。
【００２２】
なお、ＥＩＴもしくはＮＩＴあるいはＰＡＴは、受信した放送（基本映像情報）に対応する拡張映像情報の有無（別のチャンネルあるいは異なる伝送方法により拡張映像情報が提供されているか否か）を示す“識別子あるいは記述”を含むことができる。また、拡張映像情報の有無（拡張映像情報が提供されているか否か）を示す“識別子あるいは記述”は、他の記述もしくは他の参照箇所の指定、等により、明示されてもよい。
【００２３】
映像出力処理ブロック２１及び音声処理ブロック３１には、それぞれ、ディスプレイ２６及びスピーカ３６が接続する。
【００２４】
映像出力処理ブロック２１は、図８を用いて後段に説明する高精細画像復元部２０１が出力する再生映像信号に、ＯＳＤ（On Screen Display）処理部２４が生成したＯＳＤ映像を重畳し、表示制御部２５においてディスプレイ２６が表示可能な所定の解像度及び出力方式に変換する。なお、表示制御部２５の出力は、例えば外部で接続するモニタ装置、あるいは投影装置（プロジェクタ装置）等が接続可能な出力端２７に出力されてもよい。
【００２５】
音声処理ブロック３１は、音声（オーディオ）デコーダ３２、音声（オーディオ）処理部３３、遅延部３４及びＤ−Ａ（Digital to Analog）コンバータ３５、等を含む。
【００２６】
音声信号（オーディオ）については、音声処理部３３において音声デコーダ３２がデコードした音声信号を、スピーカ３６による好適な再生が可能な所定の形式に変換する。Ｄ−Ａコンバータ３５は、音声処理部３３が変換した音声信号を、アナログ音声出力信号に変換する。これにより、Ｄ−Ａコンバータ３５にスピーカ３６を接続した場合に、スピーカ３６が可聴音（アナログ音声（オーディオ）出力）を出力する。なお、Ｄ−Ａコンバータ３５の出力は、例えばＡＶ（Audio Visual）アンプ等が接続可能な出力端３７に分岐してもよい。また、Ｄ−Ａコンバータ３５に入力する音声信号は、コンテンツの種類に対応して、遅延部３４による所定量（時間）の遅延が制御される。例えばコンテンツがゲームである場合、遅延部３４が規定する遅延（時間）の大きさ（長さ）は、放送信号（番組）を再生する場合に適用する遅延（時間）の大きさ（長さ）よりも小さい（短い）。なお、拡張映像情報が、例えば７．１ｃｈサラウンド情報（信号）や６０ｋＨｚ程度の再現音域情報（信号）を含む場合も想定されるが、音声（音響）のデコードに必要な時間については、以下に説明する４Ｋ映像のデコードに必要な時間に比較して僅かである。但し、後段に説明するが、基本映像情報に基づいてＨＤ（２Ｋ）映像を再生している状態で４Ｋ放送の再生の制御入力（ユーザによるリモコン端末７１からの操作指示）に基づいて４Ｋ放送を再生する場合には、４Ｋ映像のデコード（出力）が完了するまでの所定の期間、音声を遅延することが好ましい。
【００２７】
主制御ブロック５１は、例えばＣＰＵ（主処理回路）５２、ＣＰＵ５２が実行する制御プログラムを保持するＲＯＭ（読出専用メモリ）５３、ＣＰＵ５２に作業エリアを提供するＲＡＭ（ランダムアクセスメモリ（ワークメモリ））５４、各種の設定情報及び制御情報等を保持するＮＶＭ（不揮発性（書き換え可能）メモリ）５５、４Ｋ放送受信判定部５６、等を含む。主制御ブロック５１にはまた、操作部６１、受信部６２、通信インタフェース６３、ネットワーク制御部６４、ＵＳＢ（Universal Serial Bus）インタフェース６５、ＨＤＭＩ（（登録商標）High-definition Digital Media Interface）制御部６６、記憶装置６７、等が接続する。なお、ＵＳＢインタフェース６５には、ＵＳＢ規格に準拠する外部装置、例えばＵＳＢ接続のＨＤＤ（Hard Disk Drive、記憶装置）や、キーボード、等が接続可能である。
【００２８】
操作部６１は、ユーザによる直接操作に対応する制御コマンドを主制御ブロック５１に入力する。
【００２９】
受信部６２は、リモコン端末（リモートコントローラ）７１、あるいは携帯可能な端末装置からの指示（操作入力）に対応するコマンドを、主制御ブロック５１に入力する。
【００３０】
通信インタフェース６３は、相手方機器（通信相手方）との間で、任意の方式の通信が可能な通信ユニット８１と接続する。通信ユニット８１は、例えばＷｉＦｉ（Wireless Fidelity）規格、等に準拠する近距離無線通信機器（相手方機器）との間の無線通信を実現する。なお、近距離無線通信規格としては、例えばブルートゥース（登録商標）規格や、ＮＦＣ（Near Field Communication）等も利用可能である。また、通信ユニット８１は、例えばワイヤレスキーボードやマウス等との間の信号の受け渡しが可能である。通信ユニット８１はまた、例えば非接触通信方式のカード媒体との間の無線通信（Read / Write）が可能なカードリーダ、等であってもよい。なお、通信ユニット８１は、相手方機器と。有線方式で通信するものであってもよい。
【００３１】
通信インタフェース６３はまた、リモコン端末７１に、通信ユニット８１を通じて後段に説明する４Ｋ放送を送信している放送局（チャンネル）すなわち入力部１１が受信した放送が４Ｋ放送である放送局（チャンネル）を、通知（送信）する。
【００３２】
ネットワーク制御部６４は、例えば外部ネットワーク（インターネット網（ネットワーク１００１）からのさまざまな情報の取得及び送信、インターネット網（ネットワーク１００１）へのアクセス、等を制御する。
【００３３】
ＵＳＢインタフェース６５は、ＵＳＢ規格に準拠する外部装置、例えばＵＳＢ接続のＨＤＤ（Hard Disk Drive、記憶装置）６９やメモリカード、あるいはキーボード、等が接続可能である。
【００３４】
ＨＤＭＩ制御部６６は、ＨＭＤＩ規格またはＭＨＬ規格を利用する機器相互間の有線通信を可能とする。
【００３５】
記憶装置６７は、受信した放送（番組）や、記憶装置６７やＵＳＢ接続のＨＤＤ６９が保持する番組に関連するさまざまな情報を保持する。
【００３６】
主制御ブロック５１（もしくはＣＰＵ５２）は、操作部６１を通じたユーザ操作（制御入力）や受信部６２が受信するリモコン７１、あるいは携帯可能な端末装置からの操作情報（制御入力）に基づいて、上述の各部要素を制御する。
【００３７】
また、主制御ブロック５１は、高精細画像復元部２０１及び信号処理部１２が出力する映像信号や音声信号等を、ユーザの操作（制御入力）に基づいて、記憶装置６７やＨＤＤ６９に記録することが可能である。記憶装置６７やＨＤＤ６９への映像信号や音声信号等の記録に際しては、主制御ブロック５１は、映像信号や音声信号等を暗号化処理し、所定の記録フォーマットに変換する。主制御ブロック５１は、ユーザによるリモコン７１等からの操作（指示入力）に基づいて、記憶装置６７やＨＤＤ６９から所望の映像信号や音声信号等を読み出し、復号し、映像出力処理ブロック２１（表示制御部２５）に供給して、映像表示や音声再生を実行する。
【００３８】
主制御ブロック５１はまた、信号処理部（ＴＳ分離部）１２が分離するＴＳから字幕情報（ニュース番組においてアンカー（アナウンサ）が発声した音声を字幕化した生字幕を含む）やＥＰＧ（電子番組表）情報を、取得できる。字幕情報やＥＰＧを取得するための手続き（手法）は、例えばＮＶＭ５５もしくはＲＯＭ５３が保持するプログラムまたはアプリケーションあるいはＣＰＵ５２のファームウェアとして用意される。
【００３９】
なお、主制御ブロック５１は、４Ｋ放送受信判定部５６にて、受信した放送（基本映像情報）に対応する拡張映像情報の有無（別のチャンネルまたは異なる伝送方法により拡張映像情報が提供されているか否か）を示す“識別子あるいは記述”を抽出する。“識別子あるいは記述”は、信号処理部１２が分離する制御情報のうちのＳＩ（ＰＳＩ／ＳＩ）が含む番組情報から抽出できる。拡張映像情報は、テレビ装置１が受信する放送がＳＨＶＣ（Scalable High efiiciency Video Coding）符号化方式に準拠する４Ｋ放送である場合に、送信側において基本映像情報と分離される映像情報である。拡張映像情報は、詳細には、送信側におけるエンコード（ＳＨＶＣ符号化）時の予測画像の生成に、インター予測（動き補償予測）、イントラ予測（画面内予測）及びレイヤ間予測（画像間予測）の少なくとも１つが実行されて生成される映像情報である。より詳細には、ＳＨＶＣ符号化方式は、ＨＥＶＣ（High efiiciency Video Coding）方式で用いられる画面間予測（動き補償予測／インター予測）と画面内予測（イントラ予測）とに加え、画像間予測（レイヤ間予測）を伴う。レイヤ間予測は、ＨＤ（２Ｋ）映像を構成する基準レイヤすなわち基本映像から４Ｋ（超高精細度画質）映像の出力時に利用可能な拡張レイヤ（拡張映像）を、予測する。すなわち、ＳＨＶＣ符号化方式においては、映像の再生時に、復号した基本映像を超高精細度画質（４Ｋ映像）にアップコンバートした映像を予測の候補として利用することが可能である。これにより、ＳＨＶＣ符号化方式は、４Ｋ映像を直接圧縮する方式に比較して映像情報を高い圧縮効率で圧縮できていることになり、現在の放送網（放送帯域）をそのまま利用可能な４Ｋ映像の送受信を可能としている。
【００４０】
テレビ装置１は、ユーザ指示（リモコン７１あるいは携帯可能な端末装置もしくは操作部６１からの操作入力）があった場合、主制御ブロック５１（４Ｋ放送受信判定部５６）にて“識別子あるいは記述”を抽出できた場合、４Ｋ映像を再生し、表示できる。なお、テレビ装置１における基本的な受信設定は、実質的にＨＤＴＶ放送信号に相当する基本映像情報を受信した場合、そのままの状態でＨＤＴＶ放送波として利用する設定である。このため、４Ｋ放送を再生可能な拡張映像情報を受信した場合に、４Ｋ放送を再生するための各部の切り替えが必要となる。なお、４Ｋ映像を、“識別子あるいは記述”が特定するチャンネルもしくは伝送路により供給される拡張映像情報と、拡張映像情報に対応する基本映像情報と、を用いて復号する構成の例は、後段に説明する。
【００４１】
ところで、ユーザ指示に従い受信した放送（選択されたチャンネル）が４Ｋ放送であることを４Ｋ放送（受信）判定部５６が判定して４Ｋ映像を復号して表示する場合、４Ｋ映像を復号するための一定の待ち時間が必要となる。この待ち時間は、例えば２秒（５００ミリ秒〜５秒）である。しかしながら、直前に受信（視聴）している番組が２Ｋ（ＨＤＴＶ）放送であるような場合、２Ｋ映像の復号時間と４Ｋ映像の復号時間との相違分の影響により、本来の復号時間よりも長い時間である、と、ユーザが感じることが考えられる。
【００４２】
このような背景から、４Ｋ放送であることを検出できたチャンネルについて、ＨＤＴＶ（２Ｋ）放送のチャンネルへの操作入力の方法と分離し、４Ｋ放送であるチャンネルのみを選択（操作入力）可能とすることで、ユーザの操作性を高めることができる。
【００４３】
図３は、操作入力（ユーザ指示）に対応する制御コマンドを出力可能なリモートコントローラ（リモコン端末）の一例を示す。リモコン端末７１は、テレビ装置１の通信ユニット８１との間で近距離無線通信が可能な近距離無線通信部７３を含み、テレビ装置１の通信インタフェース６３との間で、所定の情報の受け渡しが可能である。これにより、リモコン端末７１が、図６により後段に説明するような、例えばプリセットチャンネルキー点灯タイプである場合に、４Ｋ放送を再生可能な拡張映像情報を受信中である放送局（チャンネル）の情報を通知（送信）できる。
【００４４】
リモコン端末７１は、ユーザ操作（制御入力）に対応するさまざまな制御コマンドを出力する複数のキー、を含む。［電源］キー１１１は、テレビ装置１の電源のオン／オフを指示する。矢印キー１１２（［上］）、１１３（［下］）、１１４（［左］）、１１５（［右］）は、テレビ装置１のディスプレイ２６が表示する画面表示内において、カーソルの移動またはフォーカスする表示に対する位置の変更を指示可能な［上］、［下］、［左］、［右］の４方向のそれぞれに対応する制御コマンドを出力する。［決定］キー１１６は、ディスプレイ２６が表示する画面表示内の「決定」に対応する制御指示を入力する。［戻る］キー」１１７は、直前の表示（画面）あるいは現在実行している（入力）モード等を解除するための制御指示を入力する。［入力切換］キー１１８は、放送（番組）の供給元、例えばＨＤＴＶ（地上デジタル）放送、ＢＳ放送、ＣＳ放送、外部入力、等を切り換える制御指示を入力する。［終了］キー１１９は、メニュー画面あるいは現在表示されている入力（設定）画面の表示を取り消すすなわち入力や選択を終了するための制御指示を入力する。［一時停止（ちょっとタイム録画）］キー１２９は、録画された番組の再生中に再生を一時的に停止する、あるいは受信中の番組を、オンされた時点から記憶装置６７またはＨＤＤ６９に録画する制御指示を入力する。［再生］キー１３０は、録画された番組の再生指示、録画された番組の再生中に［一時停止］キー１２９がオンされて一時停止中である番組の再生開始、受信番組（非録画番組）の視聴中に［一時停止］キー１２９がオンされて録画を開始した番組の“おっかけ再生”の指示に対応する制御コマンドを入力する。［チャンネルアップダウン］キー１３１、１３２は、それぞれ、予めプリセットするチャンネルについて、キーがオンされる毎に順にスキップしてチャンネルを選択するための制御指示（アップ／ダウン）を入力する。［地デジ］キー１６２、［ＢＳ］キー１６３、［ＣＳ］キー１６４は、それぞれ、ＨＤＴＶ放送の受信チャンネルを直接選択可能に、ＢＳ放送の受信チャンネルを直接選択可能に、ＣＳ放送の受信チャンネルを直接選択可能に、チューナ（入力部）１１を切り換えるための制御指示を出力する。
【００４５】
リモコン端末７１はまた、テレビ装置１が表示する画面表示内に表示するアクションボタン（表示）である［青］ボタン、［赤］ボタン、［緑］ボタン及び［黄］ボタンのそれぞれに対応する制御指示を入力可能な［青］キー１２５、［赤］キー１２６、［緑］キー１２７及び［黄］キー１２８、等を含む。
【００４６】
リモコン端末７１はまた、例えば予め設定された任意数の動作モードの起動（呼び出し）に対応する制御指示（制御コマンド）を入力可能な［クイックメニュー］キー１２０、テレビ装置１が、４Ｋ放送を再生可能な拡張映像情報を受信した（４Ｋ放送であることを検出できた）場合に、４Ｋ放送が放送されているチャンネルのみを選択（操作入力）可能とする制御指示（制御コマンド）を入力可能な［４Ｋ（切り替え）］キー１２１、等を有する。
【００４７】
リモコン端末７１からの制御指示（制御コマンド）の入力に対応するテレビ装置１の動作としては、例えば上述の［４Ｋ］キー１２１がオンされる毎に、４Ｋ放送を再生可能な拡張映像情報を受信している放送局のチャンネルのみを、所定時間、例えば５秒毎に再生して表示する（ザッピング表示する）ことも可能である。
【００４８】
なお、リモコン端末７１による上記［４Ｋ］キー１２１をオンした場合の制御指示の出力形態は、ユーザが任意に設定でき、例えば［４Ｋ］キー１２１を１度オンした場合に、上述の４Ｋ放送の選択（制御指示）を出力するが２度オンした場合は、４Ｋ放送に係わる制御指示をキャンセルすることも可能である。この場合、上述のサッピング表示を実現するためのチャンネルの切り替えは、例えばチャンネルアップダウンキー１３１及び１３２に割り当てればよい。
【００４９】
また、図４に一例を示すが、例えばユーザの設定に基づいて、基本映像情報であるＨＤＴＶ放送を受信し、再生している状態［１１］で、［４Ｋ］キー１２１がオン（押下）された場合［１２−ＹＥＳ］、その放送に対応する拡張映像情報の有無を検出［１３］し、拡張映像情報が伝送されている場合［１３−ＹＥＳ］には、拡張映像情報を取得［１４］してデコードし、４Ｋ放送を再生する［１５］。
【００５０】
拡張映像情報が伝送されていないチャンネル（放送局）の選局が指示された場合［１３−ＮＯ］、『４Ｋ放送が放送されていない』ことを報知するアラートを、ディスプレイ２６に表示［１６］し、放送とは異なる伝送路（外部ネットワーク）において拡張映像情報が伝送されていることを検出する［１７］。外部ネットワークにおいて拡張映像情報が伝送像されていることを検出できた場合［１７−ＹＥＳ］、放送とは異なる伝送路（外部ネットワーク）において拡張映像情報を取得可能であることを、ディスプレイ２６に、アラート表示（外部ネットワークサービスの利用を推薦）する［１８］。
【００５１】
外部ネットワークからの拡張映像情報の取得に同意が得られた場合［１９−ＹＥＳ］、拡張映像情報を取得［１４］してデコードし、４Ｋ放送を再生する［１５］。
【００５２】
なお、拡張映像情報を外部ネットワークから取得する前にアラートを表示して、同意を得ることは、例えばＶＯＤ（Video On Demand）サービス（外部ネットワーク）の利用が有料である場合、等において、ユーザの意図しない課金が発生することを抑止できる。
【００５３】
リモコン端末７１はさらに、ＴｉｍｅＯｎ（タイムオン）サービスの加入者が利用可能な「クラウドざんまい（ざんまいプレイ）」へのジャンプ（テレビ装置１のディスプレイ２６が表示するホーム画面表示からの「クラウドざんまい」機能の起動）を、制御指示を入力可能な［ざんまい］キー１５１を含む。
【００５４】
なお、図３が示すリモコン端末７１の機能は、図５（ａ）−（ｃ）が示すように、携帯可能端末、例えばスマートフォンやタブレット端末２００１にてダウンロードして用いることのできるアプリケーションが表示するリモコンアプリケーション画面表示２０７１からの操作入力に置き換えることも可能である。リモコンアプリケーション画面は、スマートフォン２００１の表示画面の大きさに基づいて、例えば長さ方向に３分割される。このため、図５（ｂ）が示す、長手方向で分割した中央に相当する画面表示においては、前画面（図５（ａ））の表示を表示するための［上］スクロールボタン表示２０７１Ｕと次画面（図５（ｃ））の表示を表示するための［下］スクロールボタン表示２０７１Ｄを表示する。同様に、図５（ａ）が示す、長手方向で分割した（［電源］ボタン表示を含む）一端側を表示する画面表示においては、次画面（図５（ｂ））の表示を表示するための［下］スクロールボタン表示２０７１Ｄを表示する。また、図５（ｃ）が示す、長手方向で分割した（［青］ボタン表示、［赤］ボタン表示、［緑］ボタン表示及び［黄］ボタン表示を含む）他の一端側を表示する画面表示においては、前画面（図５（ｂ））の表示を表示するための［上］スクロールボタン表示２０７１Ｕを表示する。なお、例えば図５（ｃ）が示す表示領域においては、リモコンアプリケーションを終了するための制御コマンドの入力（ユーザ操作）を受けつける終了ボタン表示２０７１Ｅが用意されてもよい。
【００５５】
また、リモコン端末７１は、図６に示すように、設定された任意のチャンネルの受信のためにワンタッチで受信チャンネルの選局指示を入力可能なプリセットチャンネルキー７１Ａ−７１Ｌを有するものであってもよい。プリセットチャンネルキー７１Ａ−７１Ｌは、内部（キーの下部）に、ＬＥＤ（Light Emitting Diode）、等の照明機構を含み、オン（押下）された任意のキーを、所定時間照明する（ＬＥＤを点灯する）ことができるものであることが好ましい。
【００５６】
個々のプリセットチャンネルキー７１Ａ−７１Ｌに対応する照明機構（ＬＥＤ）は、通信ユニット８１から近距離無線通信部７３（リモコン端末７１）が受信した４Ｋ放送を送信している放送局に対応するプリセットチャンネルキーを照明する。すなわち、テレビ装置１において、図６に示すプリセットチャンネルキー点灯タイプのリモコン端末７１が用意されている場合は、プリセットチャンネルキーに設定されている任意の放送局が４Ｋ放送を再生可能な拡張映像情報を受信している状態において、その放送局に対応するプリセットチャンネルキーのＬＥＤが点灯する。なお、図６では、プリセットチャンネルキー７１Ａ、７１Ｄ、７１Ｅ、７１Ｆ、７１Ｇ、７１Ｈ及び７１Ｌが、それぞれが対応する放送局（チャンネル）において、４Ｋ放送を再生可能な拡張映像情報を受信していることを示している（点灯状態である）。
【００５７】
これにより、ユーザは、放送中の番組が４Ｋ放送である放送局（チャンネル）を容易に認識できる。なお、プリセットチャンネルキーの照明は、上述した［４Ｋ（切り替え）］キー１２１、等がオン（押下）された時点から所定の時間、例えば５秒程度点灯される。この点灯時間は、ユーザが設定により変更可能である。また、プリセットチャンネルキーの照明は、４Ｋ放送を受信している間、常時点灯するものであってもよい。
【００５８】
なお、任意のチャンネルを受信中に一時停止（ちょっとタイム録画）キー１２９がオン（押下）された場合、“ちょっとタイム録画”を起動する。この場合、受信（再生）中の番組（チャンネル）が４Ｋ放送であったとしても基本放送（２Ｋ）の録画を開始する。以下、再生速度が通常速度のＮ（Ｎは、１．２５、１．５、等）倍である“おっかけ再生”を用いて４Ｋ放送の現在時刻まで録画した２Ｋ映像を再生し、４Ｋ放送の現在時刻（リアルタイム時刻）に追いついた時点で２Ｋ映像の再生を停止し、４Ｋ放送（リアルタイム）の再生に切り換える。
【００５９】
すなわち、４Ｋ放送を受信し、再生している任意のタイミングで一時停止（“ちょっとタイム録画”）キー１２９がオンされた場合、図７に概要を示すように、ＨＤＤ６９または記憶装置６７に２Ｋ映像の録画を開始する。その後、［再生］キー１３０がオンされた時点から録画（“ちょっとタイム録画”）中の２Ｋ映像（及び音声）を“おっかけ再生”により再生する。この時点で、４Ｋ放送の受信及びデコードを引き続き継続し、ちょっとタイム録画した２Ｋ映像の“おっかけ再生”による再生位置（時刻）が、再生（受信及びデコード）中の４Ｋ放送の再生位置（位置）一致した時点で、ちょっとタイム録画すなわち２Ｋ映像の録画を停止する。
【００６０】
なお、ＨＤＤ６９（もしくは記憶装置６７）において、指定された所定数のチャンネルの番組を指定された時間、全て録画する全録モードにて基本映像が録画されている番組が存在し、全録モードで録画されている任意の番組の再生（タイムシフト再生）中に、［４Ｋ］キー１２１がオンされた時点で、放送とは異なる伝送路、例えばネットワーク経由のＶＯＤサービスにおいて用意されることのある拡張映像情報が取得可能であることを検出し、ユーザにＶＯＤサービスの利用を推薦することができる。
【００６１】
また、全録モードにおいて、４Ｋ放送を再生可能な拡張映像情報が録画されている場合には、その番組の再生（タイムシフト再生）が指示された時点で、拡張映像情報もデコードし、基本映像と拡張映像情報とを用いて４Ｋ映像を再生することも可能である。
【００６２】
図８は、４Ｋ（ＵＨＤ）映像を、“識別子あるいは記述”が特定するチャンネルもしくは伝送路により供給される拡張映像情報と、拡張映像情報に対応する基本映像情報と、を用いて復号するための構成の一例を示す。なお、基本映像情報及び拡張映像情報は、基映像（番組）を、４Ｋ放送信号として送信する際に、送信側（放送局／配信局）にて、予め用意される。基本映像情報は、実質的にＨＤ放送信号に相当し、受信した場合、そのままの状態でＨＤ放送波として利用である。拡張映像情報は、基本映像情報と同時に用いることで４Ｋ映像及び音響（音声）を再現可能な付属情報であり、例えば７．１ｃｈサラウンド情報（信号）や６０ｋＨｚ程度の再現音域情報（信号）を含む場合がある。
【００６３】
図８が示すように、テレビ装置１の信号処理部１２は、拡張映像情報を処理し、拡張映像情報に対応する基本映像と拡張映像情報とにより４Ｋ映像を再生する高精細画像復元部２０１を含む。
【００６４】
高精細画像復元部２０１は、入力部１１で選局された放送信号に復号処理を施し、映像信号、音声信号、字幕／文字スーパー情報及び番組関連情報、等を復元する。なお、第１の信号処理部２０３及び第２の信号処理部２０５において、システム時刻基準値ＳＴＣ（System Time Clock）は、共通である。
【００６５】
高精細画像復元部２０１は、第１の信号処理部２０３への基本映像情報（ＨＤＴＶ信号）が入力する入力端子２６０及び伝送路復号部２６１、第２の信号処理部２０５への拡張映像情報が入力する入力端子２８０及び伝送路復号部２８１を、少なくとも含む。
【００６６】
高精細画像復元部２０１はまた、第１のデコーダ（ＭＰＥＧ−２デコーダ）２７０、アップコンバータ２７４、バッファメモリ２７６、クロック再生制御部２７８及び出力セレクタ（映像出力切り替え部）２９８、等を備える。なお、高精細画像復元部２０１は、主制御ブロック５１のＣＰＵ５２の制御により動作する。すなわち、ＣＰＵ５２は、第１のデコーダ２７０、アップコンバータ２７４、バッファメモリ２７６、クロック再生制御部２７８及び出力セレクタ２９８、等を制御する。
【００６７】
高精細画像復元部２０１において、入力端子２６０に入力する基本映像情報は、伝送路復号部２６１に、入力端子２８０に入力する拡張映像情報は、伝送路復号部２８１に、それぞれ入力する。伝送路復号部２６１及び２８１は、基本映像情報及び拡張映像情報を、それぞれ復調し、伝送路復号処理によって復号する。伝送路復号部２６１及び２８１は、復号した信号（第１のＴＳ信号及び第２のＴＳ信号）を出力する。
【００６８】
クロック再生制御部２７８は、復号のタイミングを同期するための第２のクロック情報を生成し、第２の多重化分離部２８４から取得した時間情報を出力する。また、クロック再生制御部２７８は、ＳＴＣが共通であるため、ＰＣＲ（Program Clock Reference）に基づいて、第１のデコーダ２７０及び第２のデコーダ（ＳＨＶＣデコーダ）２９２（第２の信号処理部２０５側）の同期を制御する。
【００６９】
アップコンバータ２７４は、基本映像情報として供給される２Ｋ映像の解像度、画面サイズ及び色帯域（色域）をアップコンバートする。すなわち、アップコンバータ２７４は、デコーダ２７０が復号する映像信号（第２の復号映像信号）をアップコンバートし、アップコンバートによって生成された映像信号（第２の拡大復号映像）信号を生成し、生成した第２の拡大復号映像を出力する。例えば、アップコンバータ２７４は、２Ｋ映像信号（ＨＤ映像）の解像度を、４Ｋ映像信号（第２の拡大４Ｋ映像信号）の解像度に変換する。また、アップコンバータ２７４は、基準映像信号に適用される色域、例えばＢＴ７０９準拠から、例えばＢＴ２０２０準拠に拡大された色域の映像信号に変換する。
【００７０】
バッファメモリ２７６は、各種信号や第２の拡大４Ｋ映像信号を、一時的に保持する。
【００７１】
出力セレクタ２９８は、ＳＴＣに基づいて、第１の信号処理部２０３のデコーダ２７０がデコードした２Ｋ映像（ＨＤ映像）または第２の信号処理部２０５のＳＨＶＣデコーダ２７８がデコードした４Ｋ映像（ＵＨＤ映像）の一方を、出力する。なお、出力セレクタ２９８は、音声及び番組表、等を含む情報（データ）を、出力する映像に対応させて出力することもできる。出力セレクタ２９８はまた、選択された映像信号（選択映像信号）を表示制御部２５へ出力する。このとき、選択映像信号を識別するための選択情報も、出力する。
【００７２】
出力セレクタ２９８が出力する選択映像信号は、表示制御部２５において、ＯＳＤ処理部２４からのＯＳＤ出力を重畳し、表示制御部２５がディスプレイ２６または出力端２７に供給する。
【００７３】
第１の信号処理部２０３は、より具体的には、入力端子２６０からの第１のＴＳ信号を第１の表示信号、すなわち２Ｋ映像信号に復号する。第２の信号処理部２０５は、入力端子２８０からの第２のＴＳ信号（４Ｋ映像に対応する拡張映像情報）を第２の表示信号に復号する。なお、第２の信号処理部２０５は、より具体的には、第１のＴＳ信号（２Ｋ映像信号）と第２のＴＳ信号とから第２の高画質映像信号（４Ｋ映像信号）を復号する。
【００７４】
第１の信号処理部２０３は、より詳細には、第１の多重化分離部２６４、第１のデスクランブラ２６６、第１のＥＣＭ／ＥＭＭ処理部２６８、第１の（基本映像）デコーダ２７０及びＰＳＩ／ＳＩ処理部２７２を、少なくとも含む。
【００７５】
第１の多重化分離部２６４は、入力された基本映像情報を、各種情報や制御信号、及び映像信号に分離する。なお、第１の多重化分離部２６４は、主制御ブロック５１（ＣＰＵ５２）が設定するフィルタ条件を満たす信号のみを取り込むＰＩＤフィルタ２６５を備える。第１の多重化分離部２６４は、ＣＰＵ５２の制御に基づいて、ＰＩＤフィルタ２６５の値を設定する。
【００７６】
第１の多重化分離部２６４は、ＰＩＤフィルタ２６５により、例えばＰＡＴ（Program Association Table、すなわち“ＰＩＤ＝０”のＰＳＩ）を取り出し、ユーザ操作（制御入力）によって指定されるコンテンツのＰＭＴ（Program Map Table）を特定するＰＩＤを取り出す。第１の多重化分離部２６４は、このＰＩＤで指定されたＰＭＴが特定する映像信号を取り出して、取り出された映像信号及び時間情報信号を出力する。
【００７７】
第１のＥＣＭ／ＥＭＭ処理部２６８は、第１の多重化分離部２６４が分離した制御情報のＥＣＭ及びＥＭＭからスクランブル鍵を取り出す。詳細には、第１のＥＣＭ／ＥＭＭ処理部２６８は、暗号化されたＥＭＭを、テレビ装置１に関連して用意されている固有の鍵で復号し、復号したＥＭＭ（Entitlement Management Message）からワーク鍵を取り出す。次に、第１のＥＣＭ／ＥＭＭ処理部２６８は、ワーク鍵を用いてＥＣＭ（Entitlement Control Message）を復号し、復号したＥＣＭからスクランブル鍵を取り出す。
【００７８】
第１のデスクランブラ２６６は、第１の多重化分離部２６４が出力する映像信号の暗号化処理を解除する。すなわち、第１のデスクランブラ２６６は、送信側においてスクランブル鍵で処理された各種信号の暗号化処理を解除する。なお、暗号化処理規則は、一例であるが、ＭＵＬＴＩ２またはそれに準じる処理規則であることが好ましい。
【００７９】
第１のデコーダ２７０は、第１の多重化分離部２６４が分離した（伝送のために）パケット化されている映像信号（２Ｋ放送）を復号（デコード）する。第１のデコーダ２７０は、送信側で用いる符号化形式、例えばＭＰＥＧ（Moving Picture Experts Group）−２を用いて映像信号を復号し、復号した２Ｋ映像信号を出力する。
【００８０】
ＰＳＩ／ＳＩ処理部２７２は、ＣＰＵ５２（主制御ブロック５１）による制御に基づいて、番組特定情報（ＰＳＩ）及びサービス情報（ＳＩ）を処理し、ＰＳＩ及びＳＩ等に関連する情報（データ）を出力する。ＰＳＩ／ＳＩ処理部２７２は、ＣＰＵ５２による制御により抽出したＥＳ（Elementary Stream）に基づいて、選局する映像信号及び表示タイミング等を含む選局手順及び表示可能なコンテンツを規定する選局リスト（選局情報）を生成する。ここで、選局リストは、選局対象となる複数の表示信号の選局の手順（タイミング）、及び指示等の選局を制御するための情報である。ＰＳＩ／ＳＩ処理部２７２は、第１の多重化分離部２６４、第２の多重化分離部２８４及び出力セレクタ２９８と信号の送受信をする。
【００８１】
第２の信号処理部２０５は、より詳細には、第２の多重化分離部２８４、第２のＥＣＭ／ＥＭＭ処理部２８６、第２のデスクランブラ２８８、ＰＳＩ／ＳＩ処理部２９０及び第２のデコーダ（ＳＨＶＣデコーダ）２９２を、少なくとも備える。
【００８２】
第２の多重化分離部２８４は、入力された拡張映像情報を、各種情報や制御信号、及び映像信号に分離する。第２の多重化分離部２８４はまた、拡張映像情報が含む時間情報をクロック再生制御部２７８に出力する。なお、第２の多重化分離部２８４は、制御ブロック５１（ＣＰＵ５２）が設定するフィルタ条件を満たす信号のみを取り込むＰＩＤフィルタ２８５を備える。第２の多重化分離部２８４は、ＣＰＵ５２の制御に基づいて、ＰＩＤフィルタ２８５の値を設定する。
【００８３】
第２の多重化分離部２８４は、ＰＩＤフィルタ２８５により、ＰＳＩからＰＡＴを取り出し、ユーザ操作（制御入力）によって指定されるコンテンツのＰＭＴのＰＩＤを取り出し。第２の多重化分離部２８４は、このＰＩＤで指定されたＰＭＴが特定する映像信号を取り出して、取り出された映像信号及び時間情報信号を出力する。
【００８４】
第２のＥＣＭ／ＥＭＭ処理部２８６は、第２の多重化分離部２８４が分離した制御情報のＥＣＭ及びＥＭＭからスクランブル鍵を取り出す。詳細には、第２のＥＣＭ／ＥＭＭ処理部２８６は、暗号化されたＥＭＭを、テレビ装置１に関連して用意されている固有の鍵で復号し、復号したＥＭＭからワーク鍵を取り出す。次に、第２のＥＣＭ／ＥＭＭ処理部２８６は、ワーク鍵を用いてＥＣＭを復号し、復号したＥＣＭからスクランブル鍵を取り出す。
【００８５】
第２のデスクランブラ２８８は、第２の多重分離部２８４が出力する映像信号の暗号化処理を解除する。すなわち、第２のデスクランブラ２８８は、送信側においてスクランブル鍵で処理された各種信号の暗号化処理を解除する。なお、暗号化処理規則は、一例であるが、ＡＥＳ（Advanced Encryption Standard）またはそれに準じる処理規則であることが好ましい。
【００８６】
ＰＳＩ／ＳＩ処理部２９０は、ＣＰＵ５２（主制御ブロック５１）による制御に基づいて、番組特定情報（ＰＳＩ）及びサービス情報（ＳＩ）を処理し、ＰＳＩ及びＳＩ等に関連する情報（データ）を出力する。ＰＳＩ／ＳＩ処理部２９０は、ＣＰＵ５２による制御により抽出したＥＳ（Elementary Stream）に基づいて、選局する映像信号及び表示タイミング等を含む選局手順及び表示可能なコンテンツを規定する選局リスト（選局情報）を生成する。ここで、選局リストは、選局対象となる複数の表示信号の選局の手順（タイミング）、及び指示等の選局を制御するための情報である。ＰＳＩ／ＳＩ処理部２９０は、第１の多重化分離部２６４、第２の多重化分離部２８４及び出力セレクタ２９８と信号の送受信をする。
【００８７】
ＳＨＶＣデコーダ（第２のデコーダ）２９２は、第２の多重化分離部２８４が分離した（伝送のために）パケット化されている映像信号（拡張映像情報）を復号（デコード）する。すなわち、ＳＨＶＣデコーダ２９２は、スケーラブル符号化（ＳＨＶＣ（ＭＰＥＧ−ＨＥＶＣ  Ｖｉｄｅｏ）符号化）された映像信号である拡張映像情報を復号する。また、ＳＨＶＣデコーダ２９２は、拡張映像情報を復号した４Ｋ映像の基となる映像信号と第１のデコーダ２７０がデコードし、アップコンバータ２７４がアップコンバージョンした映像信号すなわち第２の拡大復号映像とにより、ＵＨＤ（超高精細度、例えば４Ｋの）映像信号を生成し、セレクタ２９８に出力する。
【００８８】
なお、ＳＨＶＣデコーダ２９２が出力する４Ｋ（ＵＨＤ）映像は、ＳＨＶＣデコーダ２９２の後段に位置するメタデータ処理部２９４及び高画質化処理部２９６が高画質化処理する。例えば、メタデータ処理部２９４は、送信側において、基本映像情報と拡張映像情報とを分離する際に拡張映像情報に付属させた情報であって、基本映像情報を高画質化するための、例えばコントラスト、色帯域（色域）あるいは諧調特性、等のグレーディング処理のためのグレーディング情報を生成する（復元する）。また、高画質化処理部２９６は、グレーティング情報に基づいて、ＳＨＶＣデコーダ２９２が出力するＵＨＤ（例えば４Ｋの）映像信号をグレーティングすることによって高画質化することができる。
【００８９】
なお、第１のＰＳＩ／ＳＩ処理部２７２及び第２のＰＳＩ／ＳＩ処理部２９０は、基本映像情報及び拡張映像情報のそれぞれに対して送信側で用意したＰＳＩ／ＳＩに基づき、第１の多重化分離部２６４、第２の多重化分離部２８４及び出力セレクタ２９８との間の映像信号（基本映像情報及び拡張映像情報）を送受信する。すなわち、出力セレクタ２９８は、ディスプレイ２６（または出力端２７）に出力する映像信号を、基本映像情報に基づく２Ｋ（ＨＤ）映像とするか、拡張映像情報に基づく４Ｋ（ＵＨＤ）映像とするかを、第１のＰＳＩ／ＳＩ処理部２７２及び第２のＰＳＩ／ＳＩ処理部２９０が含むＥＳを参照して、選択する。なお、送信側で用意するＰＳＩ／ＳＩが基本映像情報及び拡張映像情報のそれぞれにおいて共通化されている場合、第１のＰＳＩ／ＳＩ処理部２７２及び第２のＰＳＩ／ＳＩ処理部２９０の何れか一方で受信したＰＳＩ／ＳＩを読み出すことで、例えば４Ｋ映像のデコード開始タイミングを早めることが可能となる。例えば、基本映像情報のＰＳＩ／ＳＩに、拡張映像情報が用意されていること示す“識別子あるいは記述”が含まれている場合、“識別子あるいは記述”を読み出した時点で４Ｋ映像のデコードを開始することで、デコード後の４Ｋ映像が出力されるまでの時間を低減できる。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９１】
１…テレビ装置（電子機器）、１１…入力部、１２…信号処理部、２３…映像出力処理ブロック、３１…音声処理ブロック、５１…主制御ブロック、５２…ＣＰＵ、５６…４Ｋ放送受信判定部、６７…記憶装置、６９…ＨＤＤ（記憶装置）、７１…リモコン端末（指示機構）、７１Ａ−７１Ｌ…プリセットチャンネルキー、７３…近距離無線通信部（リモコン端末）、８１…通信ユニット（近距離無線通信部）、１２１…［４Ｋ］キー、１２９…［ちょっとタイム］キー、１３０…［おっかけ再生］キー、２０１…高精細画像復元部、２０３…第１の信号処理部、２０５…第２の信号処理部、２７０…第１のデコーダ（ＭＰＥＧ−２デコーダ）、２７２…ＰＳＩ／ＳＩ処理部、２７４…アップコンバータ、２７６…バッファメモリ、２９０…ＰＳＩ／ＳＩ処理部、２９２…第２のデコーダ（ＳＨＶＣデコーダ）、２９４…メタデータ処理部、２９６…高画質化処理部、２９８…セレクタ。
【図１】
2016116076.tif 000003
【図２】
2016116076.tif 000004
【図３】
2016116076.tif 000005
【図４】
2016116076.tif 000006
【図５】
2016116076.tif 000007
【図６】
2016116076.tif 000008
【図７】
2016116076.tif 000009
【図８】
2016116076.tif 000010